(57)【要約】【課題】  簡単な構造で装置全体の厚みを十分に薄くできる。【解決手段】  撮影する際に、第２レンズユニット７を移動させると、これに伴って第１レンズユニット６がカメラ本体１の外部に移動して突出し、この状態で第１、第２レンズユニット６、７が光路上に重なり合って撮影レンズ部を構成する。従って、第２レンズユニット７を移動させるだけで良く、第１レンズユニット６を駆動するための駆動手段が不要であるから、構造が簡単になり、その製作および組み立て作業も容易にでき、低価格なものを得ることができる。また、撮影しないときには、第２レンズユニット７を光路外に移動させると、第１レンズユニット６がカメラ本体１の内部に移動して、第１、第２レンズユニット６、７がカメラ本体１内における同一平面上に並列に配置されるので、カメラ本体１の厚みを十分に薄くすることができる。【選択図】        図５
2005077787.tif 000002
【特許請求の範囲】
【請求項１】
装置本体と、この装置本体に光軸に沿って移動可能に設けられて前記装置本体に対し出没する第１レンズユニットと、前記装置本体内に前記光軸に対し直交する方向に移動可能に設けられた第２レンズユニットと、この第２レンズユニットが前記光軸に一致する光路内に向けて移動したときに前記第２レンズユニットが前記第１レンズユニットを前記装置本体の外部に向けて移動させる移動手段とを備え、
撮影する際に、前記第２レンズユニットが前記光路内に向けて移動すると、これに伴って前記移動手段が前記第１レンズユニットを前記装置本体の外部に向けて移動させ、これにより前記第１、第２レンズユニットが前記光路上に重なり合って撮影レンズ部を構成することを特徴するレンズ装置。
【請求項２】
前記移動手段は、前記第１レンズユニットの外周面に設けられた第１突起部に設けられた第１傾斜面と、前記第２レンズユニットの外周面に設けられた第２突起部に設けられた第２傾斜面とからなり、前記第２レンズユニットが前記光路外に位置している状態のときに、前記第１傾斜面と前記第２傾斜面とが摺動可能に重なり合うことを特徴する請求項１に記載のレンズ装置。
【請求項３】
前記第１レンズユニットを前記装置本体の内部に向けて付勢して前記第２レンズユニットが前記光路外に移動したときに前記第２レンズユニットの側方に対応する所定位置に位置規制させる付勢部材を備えていることを特徴する請求項１または２に記載のレンズ装置。
【請求項４】
前記第２レンズユニットは前記装置本体に設けられたレンズカバーの開閉動作に連動して移動することを特徴する請求項１〜３のいずれかに記載のレンズ装置。
【発明の詳細な説明】
【技術分野】
【０００１】
この発明は、電子カメラなどの撮影装置に用いられるレンズ装置に関する。
【背景技術】
【０００２】
従来、電子カメラにおいては、撮影レンズ部と撮像部とを光軸上に配置し、撮影レンズ部で被写体の画像を撮像部に投影させ、この投影された画像を撮像部で電気信号に変化して取り込むように構成されている。このような電子カメラでは、カメラ全体の薄型化を図るために、撮影しないときに、撮像部を撮影レンズ部の光路外に移動させて撮影レンズ部をカメラ本体内に後退させ、撮影するときに、撮影レンズ部を前進させてカメラ本体の外部に突出させ、この状態で撮像部を撮影レンズ部の光路上に移動させるように構成したものがある。
【０００３】
しかしながら、このような電子カメラでは、撮影レンズ部を光軸に沿って移動させるためのモータやその伝達機構などからなる第１駆動装置と、撮像部を光路上と光路外とに移動させるためのモータやその伝達機構などからなる第２駆動装置との２つの駆動装置が必要であるため、構造が極めて複雑になり、その製作および組み立て作業が面倒で、製造コストが高くなるという問題がある。
【０００４】
また、この電子カメラでは、撮影レンズ部が複数のレンズを組み合わせた構造であり、ＣＣＤなどの撮像素子を備えた撮像部に比べて、撮影レンズ部の光軸方向の厚みが厚いため、撮影しないときに、撮像部を光路外に移動させて撮影レンズ部をカメラ本体内に後退させても、撮影レンズ部をカメラ本体の内部に収納しなければならないため、カメラ全体の厚みを撮影レンズ部の厚みよりも薄くすることができず、カメラ全体を十分に薄くすることができないという問題もある。
【特許文献１】特開２００３−１１４４７３号公報
【発明の開示】
【発明が解決しようとする課題】
【０００５】
この発明が解決しようとする問題点は、簡単な構造で装置全体の厚みを十分に薄くすることができない点にある。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図８に示すように、装置本体（カメラ本体１）と、この装置本体に光軸（５）に沿って移動可能に設けられて前記装置本体に対し出没する第１レンズユニット（６）と、前記装置本体内に前記光軸に対し直交する方向に移動可能に設けられた第２レンズユニット（７）と、この第２レンズユニットが前記光軸に一致する光路内に向けて移動したときに前記第２レンズユニットが前記第１レンズユニットを前記装置本体の外部に向けて移動させる移動手段（第１、第２傾斜面１３、１９）とを備え、
撮影する際に、前記第２レンズユニットが前記光路内に向けて移動すると、これに伴って前記移動手段が前記第１レンズユニットを前記装置本体の外部に向けて移動させ、これにより前記第１、第２レンズユニットが前記光路上に重なり合って撮影レンズ部（２４）を構成することを特徴するレンズ装置（３、３０）である。
【０００８】
請求項２に記載の発明は、図１〜図８に示すように、前記移動手段が、前記第１レンズユニット（６）の外周面に設けられた第１突起部（１２）に設けられた第１傾斜面（１３）と、前記第２レンズユニット（７）の外周面に設けられた第２突起部（１８）に設けられた第２傾斜面（１９）とからなり、前記第２レンズユニットが前記光路外に位置している状態のときに、前記第１傾斜面と前記第２傾斜面とが摺動可能に重なり合うことを特徴する請求項１に記載のレンズ装置である。
【０００９】
請求項３に記載の発明は、図１〜図８に示すように、前記第１レンズユニット（６）を前記装置本体（カメラ本体１）の内部に向けて付勢して前記第２レンズユニット（７）が前記光路外に移動したときに前記第２レンズユニットの側方に対応する所定位置に位置規制させる付勢部材（コイルばね１５）を備えていることを特徴する請求項１または２に記載のレンズ装置である。
【００１０】
請求項４に記載の発明は、図７および図８に示すように、前記第２レンズユニット（７）が前記装置本体（カメラ本体１）に設けられたレンズカバー（３１）の開閉動作に連動して移動することを特徴する請求項１〜３のいずれかに記載のレンズ装置（３０）である。
【発明の効果】
【００１１】
請求項１に記載の発明によれば、撮影する際に、第２レンズユニットを光軸に一致する光路内に向けて移動させると、これに伴って移動手段が第１レンズユニットを光軸に沿って装置本体の外部に向けて移動させ、これにより第１レンズユニットが装置本体の外部に突出し、この状態で第１、第２レンズユニットが光路上に重なり合って撮影レンズ部を構成するので、第２レンズユニットを移動させるだけ、第１レンズユニットを移動させることができ、このため第１レンズユニットを駆動するための駆動手段が不要となるので、構造が簡単になり、その製作および組み立て作業も容易にでき、製造コストを削減することができる。また、撮影しないときには、第２レンズユニットを光路外に移動させると、第１レンズユニットが装置本体の内部に移動し、これにより第１、第２レンズユニットを装置本体内における同一平面上に並列に配置させることができるので、第１、第２レンズユニットが光路上に重なり合ったときに構成される撮影レンズ部の光軸方向における厚みよりも、装置本体の厚みを薄くすることができ、これにより装置全体を十分に薄くすることができる。
【００１２】
請求項２に記載の発明によれば、移動手段が、第１レンズユニットの外周面に設けられた第１突起部に設けられた第１傾斜面と、第２レンズユニットの外周面に設けられた第２突起部に設けられた第２傾斜面とからなり、第２レンズユニットが光路外に位置している状態のときに、第１傾斜面と第２傾斜面とが摺動可能に重なり合うことにより、第２レンズユニットが光路外から光路内に向けて移動を開始するときに、第２傾斜面が第１傾斜面に沿って摺動するので、第１レンズユニットを装置本体の外部に向けて滑らかに移動させることができると共に、第１、第２傾斜面が重なり合うことにより第１、第２レンズユニットを装置本体内における同一平面上に並列に配置させることができるので、移動手段の構造が簡単で、容易に製作することができ、より一層、低価格なものを得ることができる。
【００１３】
請求項３に記載の発明によれば、付勢部材によって第１レンズユニットが装置本体の内部に向けて付勢されているので、第２レンズユニットが光路外に移動すると、第１レンズユニットを装置本体の内部に移動させることができ、これにより第１レンズユニットを第２レンズユニットの側方に対応する所定位置、例えば第１レンズユニットの第１傾斜面と第２レンズユニットの第２傾斜面とが重なって当接する位置に確実に位置規制させることができ、このため付勢部材を設けるだけの簡単な構造で、第１レンズユニットを初期位置に確実に戻して位置規制することができ、これによっても低価格化を図ることができる。
【００１４】
請求項４に記載の発明によれば、第２レンズユニットが装置本体に設けられたレンズカバーの開閉動作に連動して移動するので、第２レンズユニットを駆動するためのモータなどの駆動源が不要となるばかりか、第２レンズユニットを移動させるための移動機構も簡単になり、このため、より一層、構造の簡素化を図ることができると共に、低価格化をも図ることができるほか、装置全体の軽量化をも図ることができる。
【発明を実施するための最良の形態】
【００１５】
（実施形態１）
以下、図１〜図６を参照して、この発明を電子カメラに適用した実施形態１について説明する。
図１はこの発明の電子カメラにおける内部構造の要部を示した非撮影時の斜視図、図２はその正面図、図３は図１における撮影時の斜視図、図４はその正面図、図５は図１の状態におけるレンズ装置を概略的に示した構成図、図６は図２の状態におけるレンズ装置を概略的に示した構成図である。
この電子カメラは、図１〜図４に示すように、カメラ本体１を備えている。このカメラ本体１は、その内部における前面側に撮影部２が設けられているほか、図示しないが、前面側に光学ファインダやストロボ発光部が設けられ、裏面側に表示部や各種のメニューキーが設けられ、上端面にシャッタ釦などが設けられた構成になっている。
【００１６】
撮影部２は、図５および図６に示すように、レンズ装置３と撮像部４とからなり、これらが光軸５に沿って配置されるように構成されている。この場合、撮像部４は、ＣＣＤなどの撮像素子を備え、カメラ本体１内に固定され、この状態で被写体の画像を撮像素子で電気信号に変換して画像情報として出力するように構成されている。また、レンズ装置３は、カメラ本体１内に光軸５に沿って移動可能に設けられてカメラ本体１の前面（図５では上面）から出没する第１レンズユニット６と、カメラ本体１内に光軸５に対し直交する方向にスライド可能に設けられた第２レンズユニット７と、この第２レンズユニット７をスライドさせる駆動装置８とを備えている。
【００１７】
第１レンズユニット６は、ほぼリング状の第１レンズ枠１０内に第１レンズ１１を設けた構造で、第１レンズ１１の光学中心が光軸５上に位置し、この状態で光軸５に沿って移動するように構成されている。この場合、第１レンズ枠１０の外周面の一部（図５では左端部）には、第１突起部１２が側方に突出して設けられており、この第１突起部１２の下面には、図５に示すように、第１傾斜面１３が設けられている。この第１傾斜面１３は、第１突起部１２の先端側に向けて次第に高くなる先端上がり（図５では左上がり）に形成されている。
【００１８】
また、この第１レンズ枠１０の外周面における複数個所、例えば図１において第１突起部１２が設けられた左端部を除いて、その上下の両端部と右端部の３か所には、取付部１４がそれぞれ側方に突出して設けられており、これら各取付部１４には、それぞれコイルばね１５が取り付けられている。これらコイルばね１５は、第１レンズ枠１０をカメラ本体１の内部に向けて付勢し、カメラ本体１の内部における後述する所定位置（初期位置）に位置規制させるように構成されている。
【００１９】
第２レンズユニット７は、第１レンズユニット６と同様、ほぼリング状の第２レンズ枠１６内に第２レンズ１７を設けた構造で、第２レンズ枠１６が第１レンズ枠１０の下側に重なり合ったときに第２レンズ１７の光学中心が光軸５上に位置し、この状態から第２レンズ枠１６が光軸５と直交する方向にスライドして光路外に移動するように構成されている。この場合、第２レンズ枠１６の外周面の一部（図５では右端部）には、第１突起部１２に対向する第２突起部１８が側方に突出して設けられている。この第２突起部１８の上面には、図５に示すように、第２傾斜面１９が設けられている。
【００２０】
この第２傾斜面１９は、第２突起部１８の先端側に向けて次第に低くなる先端下がり（図５では右下がり）に形成されている。また、この第２傾斜面１９は、図５に示すように、第２レンズ枠１６が光路外つまり第１レンズ枠１０の左側に移動した状態のときに、第２突起部１８が第１突起部１２に重なって第１傾斜面１３に摺動可能に当接するように構成されている。この場合、第２傾斜面１９は、第１レンズユニット６の第１傾斜面１３が重なった状態で当接することにより、第１レンズユニット６をカメラ本体１の内部における所定位置に位置規制する。なお、この第２突起部１８には、第２レンズ枠１６が第１レンズ枠１０の下側に重なり合ったときに、第１レンズ枠１０の右側に位置するコイルばね１５が挿入する切欠き溝２０が設けられている。
【００２１】
一方、駆動装置８は、図１〜図４に示すように、カメラ本体１内に設けられたモータ２１と、このモータ２１によって回転するピニオン２２と、このピニオン２２が噛み合うラック２３とからなり、このラック２３が第２レンズユニット７の第２レンズ枠１６に一体的に設けられ、この状態でモータ２１によってピニオン２２が回転すると、このピニオン２２の回転に伴ってラック２３がスライド移動して第２レンズユニット７を光路内と光路外とのいずれかの方向に移動させるように構成されている。
【００２２】
すなわち、この駆動装置８は、図１および図２に示す状態で、モータ２１が正回転つまり図２において反時計回りに回転すると、これに伴ってピニオン２２も同じ方向に回転してラック２３を同図において右側に移動させ、これにより第２レンズユニット７を第１レンズユニット６と重なり合う光路内に向けて移動させる。また、この駆動装置８は、図３および図４に示すように、第１、第２レンズユニット６、７が重なり合った状態で、モータ２１が逆回転つまり図４において時計回りに回転すると、これに伴ってピニオン２２も同じ方向に回転してラック２３を同図において左側に移動させ、これにより第２レンズユニット７を第１レンズユニット６から離れる光路外に向けて移動させる。
【００２３】
このような電子カメラのレンズ装置３では、撮影する際に、駆動装置８のモータ２１を正回転させると、これに伴ってピニオン２２が回転してラック２３を図２において右側に移動させるので、第２レンズユニット７が第１レンズユニット６に重なり合う光路内に向けて移動する。このときには、図５に示すように、第１レンズユニット６の第１突起部１２に設けられた第１傾斜面１３と、第２レンズユニット７の第２突起部１８に設けられた第２傾斜面１９とが、重なり合っているので、第２レンズユニット７が光路外から光路内に向けて移動を開始すると、第２傾斜部１９が第１傾斜面１３に沿って摺動し、第１レンズユニット６をコイルばね１５のばね力に抗してカメラ本体１の前面側外部（図５では上面側外部）に向けて滑らかに移動させる。
【００２４】
これにより、図６に示すように、第１レンズユニット６がカメラ本体１の外部に突出して、第１、第２レンズユニット６、７が光路上に重なり合い、第１レンズ１１と第２レンズ１７との各光学中心が光軸５上に位置する。これにより、撮影レンズ部２４が構成される。この状態では、撮影レンズ部２４が光軸５上に位置するので、この撮影レンズ部２４で被写体の画像を撮像部４に投影させ、この撮像部４で被写体の画像を電気信号に変換して画像データとして取り込むことができる。
【００２５】
また、このレンズ装置３では、撮影しないときに、駆動装置８のモータ２１を逆回転させると、これに伴ってピニオン２２が回転してラック２３を図４において左側に移動させるので、第２レンズユニット７が第１レンズユニット６から離れる光路外に移動する。そして、図５に示すように、第２レンズユニット７が第１レンズユニット６の側方に移動すると、第１レンズユニット６の第１レンズ枠１０がコイルばね１５によってカメラ本体１の内部に向けて付勢されているので、第１レンズユニット６がカメラ本体１内における後述する所定位置（初期位置）に位置規制される。
【００２６】
これにより、第１レンズユニット６がカメラ本体１内に収納される。このときには、図５に示すように、第１レンズユニット６の第１突起部１２に設けられた第１傾斜面１３が、第２レンズユニット７の第２突起部１８に設けられた第２傾斜面１９に重なり合った状態で、第１レンズユニット６が第２レンズユニット７の側方に配置されるので、第１、第２レンズユニット６、７がカメラ本体１内における同一平面上に並列に配置される。また、このときには、第１レンズユニット６の第１傾斜面１３が第２レンズユニット７の第２傾斜面１９に重なり合った状態で当接するので、第１レンズユニット６がカメラ本体１内における所定位置に位置規制される。
【００２７】
このように、このレンズ装置３によれば、撮影するときに、第２レンズユニット７を移動させると、第１レンズユニット６が光軸５に沿って移動して第１レンズユニット６がカメラ本体１の外部に突出し、この状態で第１、第２レンズユニット６、７が光路上に重なり合うことにより、撮影レンズ部２４を構成するので、第２レンズユニット７を駆動装置８で移動させるだけで、第１レンズユニット６を移動させることができ、このため第１レンズユニット６を駆動するための駆動手段が不要となるので、構造が簡単になり、その製作および組み立て作業も容易にでき、製造コストを削減することができる。
【００２８】
また、このレンズ装置３によれば、撮影しないときに、第２レンズユニット７を光路外に移動させると、第１レンズユニット６がカメラ本体１の内部に移動して、第１レンズユニット６が第２レンズユニット７の側方に配置されるので、第１、第２レンズユニット６、７をカメラ本体１内における同一平面上に並列に配置することができる。このため、第１、第２レンズユニット６、７が光路上に重なり合ったときに構成される撮影レンズ部２４の光軸５方向における厚みよりも、カメラ本体１の厚みを薄くすることができ、これによりカメラ本体１全体を十分に薄くすることができる。
【００２９】
この場合、第２レンズユニット７が光路外に位置している状態のときに、第１レンズユニット６の第１突起部１２に設けられた第１傾斜面１３と、第２レンズユニット７の第２突起部１８に設けられた第２傾斜面１９とが摺動可能に重なり合うことにより、第２レンズユニット７が光路外から光路内に向けて移動を開始するときに、第２傾斜面１９が第１傾斜面１３に沿って摺動するので、第１レンズユニット６をカメラ本体１の外部に向けて滑らかに移動させることができるほか、第１、第２傾斜面１３、１９が重なり合うことにより第１、第２レンズユニット６、７をカメラ本体１内における同一平面上に並列に配置させることができ、このため第１レンズユニット６を移動させるための移動手段の構造が簡単で、容易に製作することができ、より一層、低価格なものを得ることができる。
【００３０】
また、このレンズ装置３では、複数のコイルばね１５によって第１レンズユニット６をカメラ本体１の内部に向けて付勢しているので、第２レンズユニット７が光路外に移動すると、第１レンズユニット６を自動的にカメラ本体１の内部に移動させて収納することができると共に、第１レンズユニット６の第１傾斜面１３が第２レンズユニット７の第２傾斜面１９に重なって当接することにより、第１レンズユニット６を第２レンズユニット７の側方に対応する所定位置、つまり第１、第２レンズユニット６、７をカメラ本体１内における同一平面上に並列に配置させる位置に確実に位置規制させることができる。このため、付勢部材としてコイルばね１５を設けるだけの簡単な構造で、第１レンズユニット６を初期位置に確実に戻して位置規制することができ、これによっても低価格化を図ることができる。
【００３１】
（実施形態２）
次に、図７および図８を参照して、この発明を電子カメラに適用した実施形態２について説明する。なお、図１〜図６に示された実施形態１と同一部分には同一符号を付して説明する。
この電子カメラのレンズ装置３０は、レンズカバー３１の開閉動作に連動して第２レンズユニット７を移動させる構造で、これ以外は実施形態１とほぼ同じ構造になっている。
【００３２】
すなわち、レンズカバー３１は、カメラ本体１の前面側における外面に第２レンズユニット７と反対側に向けてスライド可能に設けられ、第１レンズユニット６がカメラ本体１内に収納された状態のときにスライドして、第１レンズユニット６の第１レンズ枠１０を第１レンズ１１と共に開閉可能に覆うように構成されている。このレンズカバー３１と第２レンズユニット７の第２レンズ枠１８とは、連結コイルばね３２によって連結されている。この連結コイルばね３２は、その一端部がレンズカバー３１における上下部に設けられた第１取付アーム３３に取り付けられ、他端部が第２レンズ枠１８の上下部に設けられた第２取付アーム３４に取り付けられている。
【００３３】
このような電子カメラのレンズ装置３０によれば、撮影するときに、レンズカバー３１をスライドさせて第１レンズユニット６の第１レンズ枠１０を第１レンズ１１と共に露出させると、連結コイルばね３２によって第２レンズユニット７が第１レンズユニット６に重なり合う光路内に向けて移動するので、実施形態１と同様、第１レンズユニット６をカメラ本体１の外部に移動させて第１、第２レンズユニット６、７を光路上に重ね合わせることができる。
【００３４】
このときには、レンズカバー３１がスライドすると、連結コイルばね３２が第２レンズユニット７を第１レンズユニット６に向けて引き寄せるが、レンズカバー３１の一部が第１レンズユニット６に重なっているときには、第１レンズユニット６がカメラ本体１の外部に向けて移動しないため、連結コイルばね３２が伸びる。そして、レンズカバー３１が第１レンズユニット６から完全に離れると、伸びた状態の連結コイルばね３２のばね力によって第２レンズユニット７が光路上に引き寄せられて第１、第２レンズユニット６、７が重なり合う。
【００３５】
このように、このレンズ装置３０によれば、カメラ本体１にスライド可能に設けられたレンズカバー３１の開閉動作に連動して第２レンズユニット７が移動するので、実施形態１のモータ２１やピニオン２２、およびラック２３からなる駆動装置８が不要となり、レンズカバー３１の開閉動作を連結コイルばね３２で第２レンズユニット７に伝えるだけで良いので、その構造が極めて簡単になり、このため、実施形態１の場合よりも、より一層、構造の簡素化を図ることができると共に、低価格化をも図ることができるほか、カメラ全体の軽量化をも図ることができる。
【００３６】
なお、上記実施形態１、２では、この発明のレンズ装置を電子カメラに適用した場合について述べたが、これに限らず、携帯電話機に搭載された小型カメラやビデオカメラなどの撮影装置に広く適用することができる。
【図面の簡単な説明】
【００３７】
【図１】この発明を適用した電子カメラにおける内部構造の要部を示した非撮影時の斜視図である。（実施形態１）
【図２】図１を正面側から見た図である。
【図３】図１における撮影時の斜視図である。
【図４】図３を正面側から見た図である。
【図５】図１の状態におけるレンズ装置を概略的に示した構成図である。
【図６】図３の状態におけるレンズ装置を概略的に示した構成図である。
【図７】この発明を適用した電子カメラにおける内部構造の要部を示した非撮影時の正面図である。（実施形態２）
【図８】図７における撮影時の正面図である。
【符号の説明】
【００３８】
１  カメラ本体
２  撮影部
３、３０  レンズ装置
４  撮像部
５  光軸
６  第１レンズユニット
７  第２レンズユニット
８  駆動装置
１０  第１レンズ枠
１１  第１レンズ
１２  第１突起部
１３  第１傾斜面
１５  コイルばね
１６  第２レンズ枠
１７  第２レンズ
１８  第２  突起部
１９  第２  傾斜面
２４  撮影レンズ部
３１  レンズカバー
３２  連結コイルばね
【図１】
2005077787.tif 000003
【図２】
2005077787.tif 000004
【図３】
2005077787.tif 000005
【図４】
2005077787.tif 000006
【図５】
2005077787.tif 000007
【図６】
2005077787.tif 000008
【図７】
2005077787.tif 000009
【図８】
2005077787.tif 000010